(57)【要約】【課題】  本発明は、光源より出射された光の無駄を無くし、出射光を有効に利用し、サイドライト型面光源装置の輝度を向上させることを目的とする。【解決手段】  少なくとも、光入射面と、該光入射面から入射された光を面状に出射する光出射面とを有する導光板と、前記導光板の光出射面に対向する面側に配置される第一の反射部材と、前記導光板の光出射面側に配置される光学部材と、前記導光板の光入射面に向け光を出射する光源とで構成されるサイドライト型面光源装置において、前記導光板の光出射面側の周縁部位に第二の反射部材を設けたサイドライト型面光源装置とする。【選択図】  図１
2005228540.tif 000002
【特許請求の範囲】
【請求項１】
少なくとも、光入射面と、該光入射面から入射された光を面状に出射する光出射面とを有する導光板と、前記導光板の光出射面に対向する面側に配置される第一の反射部材と、前記導光板の光出射面側に配置される光学部材と、前記導光板の光入射面に向け光を出射する光源とで構成されるサイドライト型面光源装置において、前記導光板の光出射面側の周縁部位に第二の反射部材を設けたことを特徴とするサイドライト型面光源装置。
【請求項２】
前記第一の反射部材と前記第二の反射部材をシート状部材で一体形成し、前記一体形成したシート状反射部材の一端部には光を出射させるための開口部を設け、前記開口部が設けられていない一端部を前記導光板の光出射面に対向する面側に配置し、前記開口部が設けられた一端部が前記導光板の光出射面側に配置されるように、前記導光板を前記シート状反射部材でロール状に包んで構成したことを特徴とする請求項１記載のサイドライト型面光源装置。
【請求項３】
前記導光板と、前記導光板の光出射面に対向する面側に配置される第一の反射部材と、前記導光板の光出射面側に配置される光学部材と、前記導光板の光入射面に向け光を出射する光源とをケース内に配置し、該ケース内に配置した前記導光板の光出射面上方に開口部を有するシャーシを被せて構成し、該シャーシの内側には第二の反射部材が形成されていることを特徴とする請求項１記載のサイドライト型面光源装置。
【請求項４】
前記ケースと前記シャーシを一体形成して外装ケースを構成し、前記外装ケースは、前記導光板と前記導光板の光出射面側に配置される光学部材と、前記導光板の光入射面に向け光を出射する光源とを挿入配置するための挿入口と、前記導光板の光出射面からの光を出射させるための開口部を有し、前記外装ケース内側には反射部材が形成されていることを特徴とするサイドライト型面光源装置。
【発明の詳細な説明】
【技術分野】
【０００１】
本発明は、サイドライト型面光源装置に関するものである。
【背景技術】
【０００２】
図９は、従来のサイドライト型面光源装置の基本構造を示す分解斜視図、図１０は図９の矢視Ａ方向から見た断面図である。１は光源で、例えば発光ダイオード（ＬＥＤ）である。光源１はフレキシブル基板８上に実装されており、前記光源１が実装されたフレキシブル基板８は、両面テープ７で導光板３の側端部（光入射面）に固定されている。
【０００３】
５はケースで、ケース５の底部に反射部材２を配置し、該反射部材２の上に導光板３が配置されている。該導光板３の光入射面側には光源１が配置され、該導光板３の光出射面側には光学部材４が配置されている。６は開口部発光エリア９を有するシャーシで、導光板３の光出射面側に前記開口部発光エリア９を対応させて被せられ、サイドライト型面光源装置が構成されている。
【０００４】
前記反射部材２はシート状に形成されたもので、高反射率を有する部材である。前記反射部材２は、例えば、ポリエステルやポリオレフィンあるいは樹脂シートに銀等の金属粒子を蒸着したものである。
【０００５】
前記光学部材４は数種のシート状部材が積層されたもので、図９および図１０においては、導光板３の光出射面上に下から拡散シート、縦プリズムシート、横プリズムシートの順に積層され配置されている。
【０００６】
前述のサイドライト型面光源装置は、ケース５内に収納された導光板３の光出射面に対向する面側（導光板３の下面側）に高反射率を有する反射部材２（上側反射面）を配置することにより光源１から出射された光は、反射部材２で上方向に反射されながら導光板３内を通過する。導光板３から立ち上げられた光は、光学部材４を通過することで出射方向が整えられて、シャーシ６の開口部発光エリア９から外部へ出射される。本装置は液晶表示装置の面光源装置として利用される（例えば、特許文献１参照）。
【０００７】
【特許文献１】特開２０００−２２９０２２号公報（第５頁−第６頁、図１）
【発明の開示】
【発明が解決しようとする課題】
【０００８】
背景技術に示すサイドライト型面光源装置は、シャーシ６の開口部発光エリア９以外の部分（導光板３の光出斜面側の周縁部位）や光源１の背面部付近において、導光板３から出射した光の一部が、外部に逃げたりシャーシ６等の部品自体に吸収されたりして無駄になることが多い。その結果、光が有効利用されずに輝度を上昇させられないという問題があった。
【０００９】
本発明は、光源より出射された光の無駄を無くし、出射光を有効に利用し、サイドライト型面光源装置の輝度を向上させることを目的とする。
【課題を解決するための手段】
【００１０】
少なくとも、光入射面と、該光入射面から入射された光を面状に出射する光出射面とを有する導光板と、前記導光板の光出射面に対向する面側に配置される第一の反射部材と、前記導光板の光出射面側に配置される光学部材と、前記導光板の光入射面に向け光を出射する光源とで構成されるサイドライト型面光源装置において、前記導光板の光出射面側の周縁部位に第二の反射部材を設けたサイドライト型面光源装置とする。
【００１１】
前記第一の反射部材と前記第二の反射部材をシート状部材で一体形成し、前記一体形成したシート状反射部材の一端部には光を出射させるための開口部を設け、前記開口部が設けられていない一端部を前記導光板の光出射面に対向する面側に配置し、前記開口部が設けられた一端部が前記導光板の光出射面側に配置されるように、前記導光板を前記シート状反射部材でロール状に包んで構成したサイドライト型面光源装置とする。
【００１２】
前記導光板と、前記導光板の光出射面に対向する面側に配置される第一の反射部材と、前記導光板の光出射面側に配置される光学部材と、前記導光板の光入射面に向け光を出射する光源とをケース内に配置し、該ケース内に配置した前記導光板の光出射面上方に開口部を有するシャーシを被せて構成し、該シャーシの内側には第二の反射部材が形成されているサイドライト型面光源装置とする。
【００１３】
前記ケースと前記シャーシを一体形成して外装ケースを構成し、前記外装ケースは、前記導光板と前記導光板の光出射面側に配置される光学部材と、前記導光板の光入射面に向け光を出射する光源とを挿入配置するための挿入口と、前記導光板の光出射面からの光を出射させるための開口部を有し、前記外装ケース内側には反射部材が形成されているサイドライト型面光源装置とする。
【発明の効果】
【００１４】
導光板の光出射面側の周縁部位に第二の反射部材を設けたので、導光板内へ再度反射されて戻される光量が増加するため、光の利用効率が上がるので輝度を向上させることができる。
【００１５】
第一の反射部材と前記第二の反射部材をシート状部材で一体形成し、前記一体形成したシート状反射部材の一端部には光を出射させるための開口部を設け、前記開口部が設けられていない一端部を前記導光板の光出射面に対向する面側に配置し、前記開口部が設けられた一端部が前記導光板の光出射面側に配置されるように、前記導光板を前記シート状反射部材でロール状に包んで構成したので、導光板内に戻される光量を増加でき輝度を向上させることができる。さらに本構成によると、部品点数を一つ少なくすることができる。
【００１６】
導光板、光源、第一の反射部材、光学部材、をケース内に収納し、前記導光板の光出射面上方に、開口部を有するシャーシを被せて構成し、該シャーシの内側には第二の反射部材を形成したので、導光板内に戻される光量を増加でき輝度を向上させることができる。さらに、本構成によると、部品点数を一つ少なくすることができ、さらに装置の厚さを薄くすることができる。
【００１７】
ケースと前記シャーシを一体形成して外装ケースを構成し、前記外装ケースは、前記導光板と前記導光板の光出射面側に配置される光学部材と、前記導光板の光入射面に向け光を出射する光源とを挿入配置するための挿入口と、前記導光板の光出射面からの光を出射させるための開口部を有し、さらに前記外装ケース内側には反射部材を形成したので、導光板内に戻される光量を増加でき輝度を向上させることができる。さらに、本構成によると、部品点数を二つ少なくすることができ、さらに装置の厚さを薄くすることができる。
【発明を実施するための最良の形態】
【００１８】
導光板の光出射面側の周縁部位にも反射部材を設けた構造とすることで、従来においては無駄になっていた光を再度導光板側に戻し再利用することにより、光量を増加し、輝度の向上を実現した。
【実施例１】
【００１９】
図１は、本発明の第一実施例で、サイドライト型面光源装置を示す分解斜視図である。図２は、図１の矢視Ａ方向から見た断面図である。従来の構成と同様の部分については同一の符号を用いて説明する（以下、同様）。１は光源で、例えば発光ダイオード（ＬＥＤ）である。光源１はフレキシブル基板８上に実装されており、前記光源１が実装されたフレキシブル基板８は、両面テープ７で導光板３の側端部（光入射面）側に固定されている。
【００２０】
５はケースで、ケース５の底部に第一の反射部材２を配置し、該第一の反射部材２の上に導光板３が配置されている。第一の反射部材２はシート状の部材で、例えば、ポリエステルやポリオレフィンあるいは樹脂シートに銀等の金属粒子を蒸着したものである。前記導光板３の光入射面側には光源１が配置され、該導光板３の光出射面側には光学部材４が配置されている。光学部材４は、例えば、導光板３の光出射面側から拡散シート、縦プリズムシート、横プリズムシートの順に各シート状部材が積層されて成るものである。６は開口部発光エリア９を有するシャーシで、導光板３の光出射面側に前記開口部発光エリア９を対応させて被せられている。２’は第二の反射部材で、開口部２’ａを有しており、光学部材４の上にシャーシ６の開口部発光エリア９に開口部２’ａを対応させて配置されている。
【００２１】
前記構成のサイドライト型面光源装置において、光源１から出射された光は、第一の反射部材２で上方向に反射されながら導光板３内を通過する。導光板３から立ち上げられた光の多くは、光学部材４を通過することで光の出射方向が整えられて、開口部発光エリア９からサイドライト型面光源装置外部へ出射される。このとき、導光板３から立ち上げられた光のうち、開口部発光エリア９を通過しない一部の光は、第二の反射部材２’（下側反射面）により下向きに反射される。これにより反射された光は、導光板３内へいったん戻され、再度第一の反射部材２で反射されることで再利用される。該構成により光の無駄を無くし、光量を増加するとともに輝度を向上させることができる。
【実施例２】
【００２２】
図３は、本発明の第二実施例で、サイドライト型面光源装置を示す分解斜視図である。図４は、図３の矢視Ａ方向から見た断面図である。第二実施例では、第一実施例に示した第一の反射部材と第二の反射部材を一体形成し、サイドライト型面光源装置を構成する。１１はシート状反射部材である。該シート状反射部材１１の一端部には光を出射させるための開口部１１ａを設け、前記開口部１１ａが設けられていない一端部を導光板３の光出射面に対向する面側（導光板３の下面側）に配置し、連続して前記開口部１１ａが設けられた一端部が前記導光板３の光出射面側に配置されるように、前記導光板３を前記シート状反射部材１１でロール状に包んで構成している。本実施例では光源１も一緒に包み込んでいる。
【００２３】
光源１から出射された光は、シート状反射部材１１の導光板３直下の部分で上方向に反射されながら導光板３内を通過する。導光板３から立ち上げられた光の多くは、光学部材４を通過することで光の出射方向が整えられて、開口部発光エリア９からサイドライト型面光源装置外部へ出射される。このとき、導光板３から立ち上げられた光のうち、開口部発光エリア９を通過しない一部の光は、光学部材４上に配置されたシート状反射部材１１により下向きに反射される。さらに本構成によると、光源１の背面部やその周辺に漏れた光も、シート状反射部材１１のロール形状部分により導光板３方向へ反射される。これらの反射された光は、導光板３内へ戻されることで再利用される。該構成により光の無駄を無くし、光量をさらに増加することができ輝度を向上させることができる。
【実施例３】
【００２４】
図５は、本発明の第三実施例で、サイドライト型面光源装置を示す分解斜視図である。図６は、図５の矢視Ａ方向から見た断面図である。本発明の第三実施例の構成は、従来技術に示した構成とほぼ同様であるが、シャーシ６の内側は通常よりも反射率の高い反射面６ａが形成されている。この反射率の高い反射面を形成するには、具体例として以下のような方法がある。一つは、ステンレス鋼板を冷間圧延後に光輝熱処理やスキンパス仕上げをすることで非常に高い反射率を有する光沢面を形成する方法。また一つは、ステンレス鋼板表面を非常に細かい目の研磨材で鏡面研磨仕上げする方法。また一つは、ステンレス等の鉄鋼材料の素地に銀等の金属粒子を蒸着させて光沢面を形成する方法。また一つは、ステンレス等の鉄鋼材料の素地に白色反射ポリエステル層を接合させて光沢面を形成する方法である。該構成により光源１から出射された光は、第一の反射部材２で上方向に反射されながら導光板３内を通過する。導光板３から立ち上げられた光の多くは、光学部材４を通過することで光の出射方向が整えられて、開口部発光エリア９からサイドライト型面光源装置外部へ出射される。このとき、導光板３から立ち上げられた光のうち、開口部発光エリア９を通過しない一部の光は、シャーシ６の内側に形成された反射面６ａにより下向きに反射される。反射された光は、導光板３内へ戻されることで再利用される。該構成により光の無駄を無くし、光量を増加するとともに輝度を向上させることができる。
【実施例４】
【００２５】
図７は、本発明の第四実施例で、サイドライト型面光源装置を示す分解斜視図である。図８は、図７の矢視Ａ方向から見た断面図である。１２は外装ケースで、該外装ケース１２は、導光板３と該導光板３の光出射面側に配置される光学部材４と、前記導光板３の光入射面に向け光を出射する光源１とを挿入配置するための挿入口１２ｂと、前記導光板３の光出射面からの光を出射させるための開口部発光エリア１２ａを有している。さらに前記外装ケース１２の内側には反射率の高い反射面１２ｃが形成されている。この反射率の高い反射面を形成するには、具体例として以下のような方法がある。一つは、ステンレス鋼板を冷間圧延後に光輝熱処理やスキンパス仕上げをすることで非常に高い反射率を有する光沢面を形成する方法。また一つは、ステンレス鋼板表面を非常に細かい目の研磨材で鏡面研磨仕上げする方法。また一つは、ステンレス等の鉄鋼材料の素地に銀等の金属粒子を蒸着させて光沢面を形成する方法。また一つは、ステンレス等の鉄鋼材料の素地に白色反射ポリエステル層を接合させて光沢面を形成する方法である。光源１から出射された光は、外装ケース１２の内側下面の反射面１２ｃで反射されながら導光板３内を通過する。導光板３から立ち上げられた光の多くは、光学部材４を通過することで光の出射方向が整えられて、開口部発光エリア１２ａからサイドライト型面光源装置外部へ出射される。このとき、導光板３から立ち上げられた光の内、開口部発光エリア１２ａを通過しない一部の光は、外装ケース１２の内側上面の反射面１２ｃにより下向きに反射される。反射された光は、導光板３内へ戻されることで再利用される。該構成により光の無駄を無くし、光量を増加するとともに輝度を向上させることができる。
【００２６】
また、光源１背面部やその周辺に漏れた光も、リフレクター１０のコの字形状内側の反射面（不図示）により導光板３方向へ反射される。これらの反射された光は、導光板３内へ戻されることで再利用される。本実施例は、外装ケース内側に反射面を形成することでシート状の反射部材を省くことができるものである。
【図面の簡単な説明】
【００２７】
【図１】本発明のサイドライト型面光源装置を示す分解斜視図（実施例１）
【図２】図１の矢視Ａ方向から見た断面図（実施例１）
【図３】本発明のサイドライト型面光源装置を示す分解斜視図（実施例２）
【図４】図３の矢視Ａ方向から見た断面図（実施例２）
【図５】本発明のサイドライト型面光源装置を示す分解斜視図（実施例３）
【図６】図５の矢視Ａ方向から見た断面図（実施例３）
【図７】本発明のサイドライト型面光源装置を示す分解斜視図（実施例４）
【図８】図７の矢視Ａ方向から見た断面図（実施例４）
【図９】従来のサイドライト型面光源装置の基本構造を示す分解斜視図
【図１０】図９の矢視Ａ方向から見た断面図
【符号の説明】
【００２８】
１      光源
２      第一の反射部材
２’    第二の反射部材
２’ａ  開口部
３      導光板
４      光学部材
５      ケース
６      シャーシ
６ａ    反射面
７      両面テープ
８      フレキシブル基板
９      開口部発光エリア
１０      リフレクター
１１      反射部材
１１ａ    開口部
１２      外装ケース
１２ａ    開口部発光エリア
１２ｂ    挿入口
１２ｃ    反射面
【図１】
2005228540.tif 000003
【図２】
2005228540.tif 000004
【図３】
2005228540.tif 000005
【図４】
2005228540.tif 000006
【図５】
2005228540.tif 000007
【図６】
2005228540.tif 000008
【図７】
2005228540.tif 000009
【図８】
2005228540.tif 000010
【図９】
2005228540.tif 000011
【図１０】
2005228540.tif 000012